(57)【要約】【課題】本発明の目的は、表示装置を備えた携帯電話に関し、静止画像や動画像の画質を変更して表示することができる方法を提供することにある。【解決手段】前記携帯電話に、静止画像や動画像の画質を変更して表示することができる機能を設けることにより達成できる。【効果】本発明によれば、携帯電話に静止画像や動画像の明るさや色相の画質を変更して表示することができる機能を設けることにより、個々の静止画像や動画像を変更して表示することができるようになり使い勝手が向上する。【選択図】　図２
2004023578.tif 000002
【特許請求の範囲】
【請求項１】
外部から入力された画像データを表示用の画素データに変換する画像データ変換部と、前記画素データを保存する第１の記憶部と、前記画素データの値を変更するための情報が記憶された画素データ変換部と、前記第１の記憶部から読み出された画素データに基づいた画像を表示できる表示部と、通信に関する操作及び表示に関する操作を入力することができる操作部と、通信及び表示に関する制御を行う制御部を備えた携帯端末装置であって、前記操作部は前記表示部の画面上でのカーソルの移動を制御するカーソルキーを備え、前記制御部が前記画素データの値を変更する処理を行うときは前記カーソルキーの操作により前記画素データ変換部から前記画素データの値を変更するための情報が選択されて、この選択された情報により前記第１の記憶部から読み出された画素データの値が変更されて上記表示部に表示されるよう構成されたことを特徴とする携帯端末装置。
【請求項２】
請求項１に記載の携帯端末装置において、前記画素データ変換部の情報に基づいて変更された画素データを記憶する第２の記憶部を備え、前記制御部が画像データを表示する処理を行うときは前記第２の記憶部に記憶されている画素データを読み出すよう構成されたことを特徴とする携帯端末装置。
【請求項３】
請求項１に記載の携帯端末装置において、前記画素データ変換部の情報に基づいて変更された画素データを記憶する第２の記憶部を備え、前記カーソルキーの操作により前記画素データ変換部から前記画素データの値を変更するための情報が選択されたときはこの選択された情報により変更された画素データの値を表示時の設定値として前記第２の記憶手段に記憶することを特徴とする携帯端末装置。
【請求項４】
前記携帯端末装置は携帯電話機であることを特徴とする請求項１〜３に記載の携帯端末装置。
【請求項５】
前記携帯端末装置は携帯情報端末（ＰＤＡ）であることを特徴とする請求項１〜３に記載の携帯端末装置。
【請求項６】
被写体を撮影して画像データに変換する撮影装置と、この撮影装置の画像データを表示用の画素データに変換する画像データ変換部と、前記画素データを保存する第１の記憶部と、前記画素データの値を変更するための情報が記憶された画素データ変換部と、前記第１の記憶部から読み出された画素データに基づいた画像を表示できる表示部と、通信に関する操作及び表示に関する操作を入力することができる操作部と、通信及び表示に関する制御を行う制御部を備えた携帯端末装置であって、前記操作部は前記表示部の画面上でのカーソルの移動を制御するカーソルキーを備え、前記制御部が前記画素データの値を変更する処理を行うときは前記カーソルキーの操作により前記画素データ変換部から前記画素データの値を変更するための情報が選択されて、この選択された情報により前記第１の記憶部から読み出された画素データの値が変更されて上記表示部に表示されるよう構成されたことを特徴とする携帯端末装置。
【請求項７】
請求項６に記載の携帯端末装置において、前記画素データ変換部の情報に基づいて変更された画素データを記憶する第２の記憶部を備え、前記制御部が画像データを表示する処理を行うときは前記第２の記憶部に記憶されている画素データを読み出すよう構成されたことを特徴とする携帯端末装置。
【請求項８】
請求項６に記載の携帯端末装置において、前記画素データ変換部の情報に基づいて変更された画素データを記憶する第２の記憶部を備え、前記カーソルキーの操作により前記画素データ変換部から前記画素データの値を変更するための情報が選択されたときはこの選択された情報により変更された画素データの値を表示時の設定値として前記第２の記憶手段に記憶することを特徴とする携帯端末装置。
【請求項９】
前記携帯端末装置は携帯電話機であることを特徴とする請求項６〜８に記載の携帯端末装置。
【請求項１０】
前記携帯端末装置は携帯情報端末（ＰＤＡ）であることを特徴とする請求項６〜８に記載の携帯端末装置。
【請求項１１】
外部から画像データを入力する手段と、前記画像データを表示用の画素データに変換するとともに各種の制御を行う制御部と、前記画素データを保存する第１の記憶部と、前記第１の記憶部から読み出された画素データにより画像を表示可能な表示部と、各種の操作を入力することができる操作部を有する携帯端末装置において、前記画素データの値を変更するための画素データ変換テーブルを備え、前記操作部から所定の操作がなされたときはこの所定の操作に対応した前記画素データ変換テーブルの値により前記画素データの値を変更し、変更後の画素データによる画像を前記表示部に表示するよう構成されたことを特徴とする携帯端末装置。
【発明の詳細な説明】
【０００１】
【発明の属する技術分野】
本発明は、表示装置を備えた携帯電話に関し、インターネットに接続してダウンロードした画像や、カメラ付き携帯電話にて撮影した画像の明るさや色相等の画質をユーザーの好みに合わせて可変して表示することができる方法に関する。
【０００２】
【従来の技術】
ユーザが所有する端末装置（パーソナルコンピュータ、ＰＤＡあるいは携帯電話等）に画像データを供給して、端末装置側で画質調整できるものが特開２００１−１４８０６８号公報に記載されている。また、色変換テーブルにより色相を調整できるデジタルカメラが特開平１１−８８９０６号公報に記載されている。
【０００３】
【発明が解決しようとする課題】
特開２００１−１４８０６８号公報に記載された従来技術では、画像印刷販売機から画像データが記録媒体を介して、またはコネクタ接続あるいは非接触型の近距離通信手段を介してユーザが所有する端末装置（パーソナルコンピュータ、ＰＤＡあるいは携帯電話等）に画像データが供給される。このとき、色、明るさ等の印刷時の画質を指定する情報が送信され、ユーザはこの情報を用いて自分の端末装置で画質の調整をすることができる。
【０００４】
しかし、この従来技術では、端末装置側での具体的な調整方法については何ら開示されておらず、さらに端末装置が特に携帯電話やＰＤＡのように大きさの制限や入力操作装置の制約がある場合の調整方法については配慮されていなかった。
【０００５】
また、特開平１１−８８９０６号公報に記載された従来技術ではインターネット等からの外部から入力された画像データの処理については開示されていない。
【０００６】
本発明の目的は、外部から入力した画像や内蔵カメラで撮影した画像の画像データを画素毎に調整でき、画質調整の容易な携帯電話を提供することにある。
【０００７】
【課題を解決するための手段】
上記課題を解決するために、本発明は、外部から入力された画像データを表示用の画素データに変換する画像データ変換部と、画素データを保存する第１の記憶部と、画素データの値を変更するための情報が記憶された画素データ変換部と、第１の記憶部から読み出された画素データに基づいた画像を表示できる表示部と、通信に関する操作及び表示に関する操作を入力することができる操作部と、通信及び表示に関する制御を行う制御部を備えた携帯端末装置であって、操作部は表示部の画面上でのカーソルの移動を制御するカーソルキーを備え、制御部が前記画素データの値を変更する処理を行うときはカーソルキーの操作により画素データ変換部から画素データの値を変更するための情報が選択されて、この選択された情報により第１の記憶部から読み出された画素データの値が変更されて表示部に表示されるよう構成されたことを特徴とする。
ことを特徴とする。これにより、インターネット等の外部から入力した画像をユーザーの操作により最適な画質に調整ができる。
【０００８】
好ましい実施態様においては、画素データ変換部の情報に基づいて変更された画素データを記憶する第２の記憶部を備え、制御部が画像データを表示する処理を行うときは第２の記憶部に記憶されている画素データを読み出すよう構成されたことを特徴とする。これにより、見やすくなった画質調整後の画像を好きな時に呼び出して表示できるとともに、メールと一緒に調整後の画像を相手に送信することができる。
【０００９】
好ましい他の実施態様においては、画素データ変換部の情報に基づいて変更された画素データを記憶する第２の記憶部を備え、カーソルキーの操作により画素データ変換部から画素データの値を変更するための情報が選択されたときはこの選択された情報により変更された画素データの値を表示時の設定値として第２の記憶手段に記憶することを特徴とする。これにより、次回からの表示はユーザーにより好みの表示に調整された画質で表示させることができるようになる。
【００１０】
また、本発明は、画像データ変換部が外部から入力された画像データの代わりに撮影装置で撮影されて画像データに変換された信号を表示用の画素データに変換するよう構成されたものであってもよい。これにより、内蔵カメラで撮影した画像もユーザーの操作により最適な画質に調整ができる。
【００１１】
なお、携帯端末装置は携帯電話機あるいは携帯情報端末（ＰＤＡ）であってもよい。
【００１２】
【発明の実施の形態】
画像を表示するための液晶等の表示装置に、内蔵カメラまたは外付けカメラにて撮影した画像を、該表示装置に表示できる機能を備えた携帯電話が広く一般的に知られている。さらに、カメラにて撮影した画像を相手に送信及び受信して表示することのできる機能が、市場で注目を集めてきている。
【００１３】
カメラにて撮影する場合、周囲の明るさ等の環境により撮影された画像が影響を受けることが知られている。例えば、暗い環境で撮影した場合は、撮影された画像は暗くなり、黒い部分が見づらくなる。このような場合、従来は、液晶等の表示装置の表示全体の明るさを調整するために、表示装置の照明を明るくしたり、表示装置への信号レベルを大きくしたりする技術により、撮影した画像を明るくして見やすい画像に調整できるようにしている。
【００１４】
しかしながら、この技術では画像とは関係のない同時に表示されている文字情報等も一緒に明るさが変化してしまうため、文字情報等が見づらくなる場合があるという問題があり、この問題を改善するために、カメラ内蔵の携帯電話については、撮影時に内蔵カメラの露出を変えて撮影したり、カメラからの画像信号レベルを数段階に可変する等撮影画像を改善できるものが知られている。
【００１５】
以下、本発明の実施の形態を図１〜図８を用いて説明する。本発明の第１の実施の形態を図１〜図５及び図７、図８を用いて説明する。本実施の形態は、本発明をカメラ付き携帯電話機に適用したものである。図１は本実施の形態の携帯電話の内部ブロック図である。１００は携帯電話、１０１は無線部、１０２は制御部、１０３はマイク、１０４はスピーカ、１０５は表示部、１０６は操作部、１０７はＦｌａｓｈＲＯＭ、１０８はＲＡＭ、１０９は電源部、１１０はカメラ部である。本実施の形態では、携帯電話１００は通常の音声通話の他にインターネットに接続でき、これにより画像データをダウンロードできる機能を備えている。
【００１６】
無線部１０１は各種のデータの送受信を基地局と行う。また基地局から受信したデータを制御部１０２に伝達し、制御部１０２から受け取ったデータを基地局に送信する。データには音声通信（電話機能）を行うための音声データ、インターネットに接続しておこなう電子メールなどの文字データ、本発明に関連した画像データなどがある。
【００１７】
制御部１０２はＣＰＵを内蔵し携帯電話１００を制御するとともに画像データ及び文字データを表示部１０５に表示するための表示データへの変換、マイク１０３からの音声を音声データへの変換、受信した音声データをスピーカ１０４から音声として出力するために音声データへの変換等の各種の信号処理も行う。
【００１８】
マイク１０３は音声通信時にユーザーが話した音声を制御部１０２に送出する。スピーカ１０４は受信した音声信号を制御部１０２から受け取り再生する。表示部１０５は液晶の表示装置であり、操作部１０６により入力された入力データを表示したり、インターネットに接続しダウンロードした画像データの表示を行ったりする。操作部１０６は携帯電話１００のキー入力部であり電話時には電話番号の入力、インターネット接続時にはアドレスの入力、表示を変更する等の操作入力などをおこなう。ＦｌａｓｈＲＯＭ１０７は制御部１０２にあるＣＰＵの動作プログラム等を内蔵するメモリである。また読み書き可能であるためユーザー用のデータの保存を行うこともできる。ＲＡＭ１０８は制御部１０２にあるＣＰＵが処理中のデータの一時保存、表示部１０５に表示する表示データの保存等を行う。電源部１０９は携帯電話１００を動作させるためのバッテリーを含む電源供給部である。カメラ部１１０は操作部１０６の操作により撮影することができ、撮影した画像は表示部１０５に表示される。
【００１９】
次に、動作の概略を説明する。まず、携帯電話１００がインターネットに接続されて、ダウンロードした画像データを表示する場合について説明する。無線部１０１により受信した画像データは制御部１０２に送られ、表示部１０５の表示装置に表示できるようにするために制御部１０２で表示用の画素データに変換され、ＲＡＭ１０８に展開され格納される。ＲＡＭ１０８に展開された表示用の画素データは制御部１０２により読み出され、表示部１０５に送られ表示部１０５にある液晶表示装置に表示することができる。ここで、ユーザーが明るさや色相の画質を調整したい場合は、操作部１０６から所定の操作を行うと、ＲＡＭ１０８に格納されている表示用の画素データを読み出して画素毎にデータ値すなわち画像の信号のレベルを画素データ変換部としての変換テーブルを用いて変更し、再度ＲＡＭ１０８に展開格納し、その後読み出し表示部１０５に調整後の画像を表示する。なお、画素データ変換部にはＲＡＭ１０８から読み出された画素データの値を変更するための情報が記憶されている。この情報は画素データごとに数値の情報あるいは関数として記憶される。
【００２０】
ここで、ＲＡＭ１０８への表示用の画素データの展開について説明する。説明を液晶表示装置に関連付けて説明する。液晶表示装置は平面上に一様に画素電極がマトリクス状に配置されており、階調のない（白／黒）液晶表示装置の場合は、この画素電極各々をＯＮ／ＯＦＦすることにより表示（白色表示）／非表示（黒色表示）を行っている。このＯＮ／ＯＦＦされた画素電極が集まり全体として画像を表示するので、どの画素電極をＯＮするかＯＦＦするかの割り付けを行うために、ＲＡＭ１０８のメモリアドレスと画素電極のアドレスを対応させ、画素電極をＯＮするかＯＦＦするかの情報を画素毎に画素電極アドレスに対応したメモリアドレスに保存することがダウンロードした画像データのＲＡＭ１０８への表示用の画素データの展開である。
【００２１】
さらに、階調を持った液晶表示装置の場合は、この画素電極のＯＮの割合を変えることができる。すなわち、同じ黒い色を表示しても薄い黒、濃い黒などの中間色いわゆる灰色を表示することができる。さらにカラー液晶では各画素が赤（Ｒ）、緑（Ｇ）、青（Ｂ）の３種類あるためこれら各画素のＯＮの割合を変えることによりカラー画像を表示することができる。このため、本実施の形態における携帯電話の場合は、カラー画像用の液晶表示装置であるので、赤（Ｒ）、緑（Ｇ）、青（Ｂ）の３種類に対応した表示用の画素データに制御部１０２が変換し画素毎にＲＡＭ１０８に展開格納する。
【００２２】
尚、ここではカラーの液晶表示装置に関連付けて説明したが、表示装置はこれに限ったものではなく、他の表示装置でも構わない。すなわち、画像上の画素アドレスとＲＡＭ１０８のメモリアドレスが対応付けられて画素データが保存されるようになっていれば、他の表示装置でも同じように表示が行える。
【００２３】
ここで、明るさ及び色相を調整する方法の概略を説明する。明るさを調整する場合は、ＲＡＭ１０８に格納されている赤（Ｒ）、緑（Ｇ）、青（Ｂ）の３種類の表示用の画素データの値すなわち画像の信号レベルを同じ割合で変更することにより明るさを調整することができる。また、色相を調整する場合は、赤（Ｒ）、緑（Ｇ）、青（Ｂ）の３種類の表示用の画素データの値をそれぞれ違う割合で変更することにより実現できる。
【００２４】
次に携帯電話１００に内蔵されているカメラ部１１０により撮影した画像データを表示する場合について説明する。カメラ部１１０で撮影された画像は制御部１０２に送られ、制御部１０２で赤（Ｒ）、緑（Ｇ）、青（Ｂ）の３種類の表示用の画素データに変換されＲＡＭ１０８に展開される。ＲＡＭ１０８に展開された後の処理は上記インターネットに接続し、ダウンロードした画像データを表示する場合と同様であるので、ここでは詳細な説明は省略する。
【００２５】
本実施の形態による処理の流れの一実施例を図２を用いて説明する。図２はインターネットに接続してダウンロードした静止画像や動画像の明るさや色相の画質を調整して表示するためのフローチャートである。
【００２６】
ステップ２０１で画像データのダウンロード処理が行われると、ステップ２０２でダウンロードされた画像データは制御部１０２によりＲＡＭ１０８の画素アドレスに対応付けられたメモリアドレスに表示用の画素データとして展開し格納する。ステップ２０３で制御部１０２はＲＡＭ１０８から表示用の画素データを読取り、表示部１０５に画像を表示する。ここで、ユーザーは表示された画像を見て画質の調整を行うか判断する。ステップ２０４でユーザーにより操作部１０６が操作されて画質調整が行われたと判断された場合は、ステップ２０５で操作により指定された画質の変更量に対応して画質調整用の画素データ変換テーブル値を変更し、制御部１０２はＲＡＭ１０８に格納されている表示用の画素データを読み出し、読み出した表示用の画素データの値を変更された画素データ変換テーブル値に従い変更して、ステップ２０２に戻り再度ＲＡＭ１０８に格納する。そしてステップ２０３で表示部１０５の液晶表示装置に変更後の画質調整された画像が表示される。
【００２７】
尚、画素データ変換テーブル値の変更方法については後述する。また、画質調整用の画素データ変換テーブル値はＦｌａｓｈＲＯＭ１０７に格納されている。
【００２８】
ステップ２０４でユーザーが画質調整の操作が行われなかったと判断されたい場合には、ステップ２０６で表示終了の操作が行われたかを判断し、操作がされなかった場合はステップ２０４に戻り、ユーザーによる操作が行われるまで表示に関しては現在の表示の状態を保持する。ステップ２０６で表示終了の操作が行われたと判断された場合には、ステップ２０７で表示を終了する。これにより、インターネット等の外部から入力した画像をユーザーの操作により最適な画質に調整ができる。
【００２９】
本実施例では、変更後の表示用の画素データを一旦ＲＡＭ１０８に展開し、展開された表示用の画素データを再度読み出して表示するようにしたが、変更後の表示用の画素データを表示部１０５の送るとともにＲＡＭ１０８に格納することにしてもよい。このようにすることにより、表示までの時間を短縮することが可能となる。
【００３０】
ここで、ステップ２０５でユーザー操作により変更された表示用の画素データをＦｌａｓｈＲＯＭ１０７に格納するようにしてもよい。これにより、見やすくなった画質調整後の画像を好きな時に呼び出して表示できるとともに、メールと一緒に調整後の画像を相手に送信することができるようになる。
【００３１】
さらにここで、ステップ２０５でユーザー操作により変更された画素データ変換テーブル値を次に表示するときの設定値としてＦｌａｓｈＲＯＭ１０７に格納するようにしてもよい。これにより、次回からの表示はユーザーにより好みの表示に調整された画質で表示させることができるようになる。例えば、肌色が赤いほうが好きなユーザーは設定しておけば、常に好みの赤味がかった肌色で見ることができる。
【００３２】
次に図３、図４、図７、図８を用いて、ユーザー操作に従い画素データ変換テーブル値を変更することにより、画質を調整する方法について詳しく説明する。
【００３３】
図３は画質調整用の画素データ変換テーブル値の一実施例である。画素データ変換テーブル値は階調を持ったカラー液晶用のものとする。横軸に変更前の画素データの値、縦軸に変更後の画素データの値を取り、画素データ変換テーブル値を直線３０１及び曲線３０２、３０３、３０４で表している。ここで、曲線の選択変更はユーザー操作による画質の変更量に対応して、曲線３０２から曲線３０４を選択変更するようになっている。
【００３４】
尚、本実施例では曲線は４本で４段階に変更できるようになっているが、これに限ったものではなく、複数段階または連続的に変更できるようになっていればよい。
【００３５】
画素データの値（以下、画素値と称す）とは液晶表示装置での赤（Ｒ）、緑（Ｇ）、青（Ｂ）各画素のＯＮの割合であり液晶表示装置の明るさを示す。すなわち表示画面上の画素アドレス毎の信号レベルを示す。本実施例では０から２５５の２５６段階に分割されており、「０」では表示はＯＦＦ（黒）であり、「２５５」ではＯＮ（最も明るい白）として説明する。
【００３６】
曲線３０１は変更前、変更後の画素値が同じ値になるようになっているため変更を行っていない状態である。例えば、変更前の画素値「１２８」を変更しても変更後の画素値は「１２８」のままである。曲線３０２は変更後の画素値が変更前の画素値に比べて大きくなっている。つまり変換を行うと元の明るさよりも明るくなることを示している。例えば、変更前の画素値が「１２８」である場合、変更後の画素値は「１７４」となる。変更前の明るさに比べ変更後は「１７４／１２８」倍明るくなる。曲線３０３は曲線３０２に比べ変更後の画素値が更に大きくなっている。例えば、変更前の画素値が「１２８」である場合、変更後の画素値は「１８６」となる。変更前の明るさに比べ変更後は「１８６／１２８」倍明るくなる。曲線３０４は変更後の画素値が変更前の画素値に比べて小さくなっている。つまり変更を行うと元の明るさよりも暗くなることを示している。例えば、変更前の画素値が「１２８」である場合、変更後の画素値は「８２」となる。変更前の明るさに比べ変更後は「８２／１２８」倍の暗さになる。
【００３７】
カラーの液晶表示装置は１ドットが赤（Ｒ）、緑（Ｇ）、青（Ｂ）の３つの画素より構成されているためこれら３つの画素の値が全て「０」であると黒表示、全て「２５５」であると白表示となる。また赤（Ｒ）が「２５５」、緑（Ｇ）、青（Ｂ）が「０」であれば赤のドット表示となる。「１２８」は「１２８／２５５」だけＯＮした状態であるため「２５５」であるときの約半分の明るさを示す。赤（Ｒ）、緑（Ｇ）、青（Ｂ）の３つの画素全が「１２８」になると白と黒の中間の色である灰色表示となる。
【００３８】
図４、図７、図８を用いて本実施の形態をさらに詳しく説明する。図４は液晶表示装置の各画素の拡大図である。４０１から４０９は液晶表示装置の各画素を示す。図７は、図３の画素データ変換テーブル値による変更前の図４の液晶表示装置のドットの状態を表したものである。ドット７０１、７０２、７０３は液晶表示装置の１ドットを示す。また、ドット７０１は画素Ｒ４０１、画素Ｇ４０２、画素Ｂ４０３で構成されている。同様にドット７０２は画素４０４０、４０５、４０６で、ドット７０３は画素４０７、４０８、４０９で構成されている。７０４、７０５、７０６は液晶表示装置のドット７０１、７０２、７０３の明るさを表す。図８は、図７に示したドット７０１、７０２、７０３を図３の画素データ変換テーブル値の曲線３０３により変更を行った後のドットの状態を表したものである。ドット８０１、８０２、８０３は液晶表示装置の１ドットを示す。８０４、８０５、８０６は液晶表示装置のドット８０１、８０２、８０３の明るさを表す。
【００３９】
図７において、画素Ｒ４０１、画素Ｇ４０２、画素Ｂ４０３の画素値は「２５５」でありドット７０１は白色となりそのときの明るさは７０４であり最も明るい状態である。画素Ｒ４０４、画素Ｇ４０５、画素Ｂ４０６の画素値は「０」でありドット７０２は黒色となりそのときの明るさは７０５であり最も暗い状態である。画素Ｒ４０７、画素Ｇ４０８、画素Ｂ４０９の画素値は「１２８」でありドット７０３は灰色となりそのときの明るさは７０６である。これらの画素４０１から４０９の画素値を図３の曲線３０３により変更をすると、ドット７０１に対応するドット８０１、ドット７０２に対応するドット８０２は画素データ
変換テーブル値が同じであるため変化はない。ドット７０３は画素Ｒ４０７、画素Ｇ４０８、画素Ｂ４０９の値が「１２８」から「１８６」に変更されるため明るさは７０６から８０６に変更される。このため画素７０３の灰色よりも画素８０３の灰色の方がより白色に近い明るめの灰色となる。このようにして、明るさを調整することができる。
【００４０】
次に、色相を調整する場合を説明する。インターネットからダウンロードした画像の人物像の肌色の色合いが白っぽく見えるためもう少し赤の色合いを強くしたい場合などは緑（Ｇ）、青（Ｂ）の画素値の変更は直線３０１のままとし、液晶表示装置全ての赤（Ｒ）の画素値を曲線３０２により順番に変更する。すなわち赤（Ｒ）の画素だけが明るくなり、変更後の画像は変更前の画像に比べて全体的に赤の色合いが強くなり人物像の肌色の色合いが赤みを帯びる。これにより画質を調整することができる。画素データ変換テーブル値である図３の直線３０１の特性をユーザー操作により曲線３０２、３０３、３０４のように可変できるようにしておくことにより、ユーザーは自由に表示されている画像の明るさや色相の画質を調整することができる。尚、内蔵カメラからの画像についても同様である。
【００４１】
図５を用いてユーザー操作による色相の調整の方法を説明する。図５は、携帯電話にて図３の画素データ変換テーブル値による表示画像の画質変更するための操作画面の一実施例を示したものである。５０１は携帯電話、５０２は液晶表示装置、５０３はカーソルの移動方向を制御する方向キー、５０４は液晶表示装置５０２に表示される画素Ｒ（赤）の変更バー、５０５は液晶表示装置５０２に表示される画素Ｇ（緑）の変更バー、５０６は液晶表示装置５０２に表示される画素Ｂ（青）の変更バー、５０７は方向キー５０３により選択された画素Ｒ（赤）の変更バー５０４の値の位置を示すカーソルを表す。方向キー５０３は、上下方向に押すことによりカーソル５０７が上下に移動し、左右方向に押すことによりカーソル５０７は左右に移動する（なお、上下左右は図５を液晶表示装置５０２が上になるよう正面から見たときの上下左右に対応する）。
【００４２】
方向キー５０３を上下方向に押すことにより変更すべき画素（Ｒ、Ｇ、Ｂのいずれか）が選択され、次に方向キー５０３の中央を押すことにより選択された画素（図ではＲ）が確定される。そのあとに方向キー５０３を左右方向に押すことにより当該画素の画素データ変換テーブル値すなわち図３の曲線の特性が変化する。図５の例ではカーソル５０７を右に動かして行くと、赤色の画素の画素値のみが図３の画素データ変換テーブル上で値が曲線３０２、３０３へと変化し、画面上で赤色が強くなる。この場合にも変更する量が決まったら方向キー５０３の中央を押すことにより確定する。すなわち、方向キー５０３を操作することにより画素データ変換テーブルから画素データを変更するための情報（この場合は色の濃淡）が選択される。図２のフローチャートに従い画素データ変換テーブル値を変更する毎に変換テーブル値に従い表示画面の変更が行われ液晶表示装置５０２に表示されるため、ユーザーは画面を見ながら画像の調整を行うことができる。
【００４３】
本実施の形態では、携帯電話機の方向キーで画素データの値の変更処理を行うよう構成したので、キーの数も少なくパソコンのようにマウスなどの外部入力装置を標準で備えていない携帯電話であっても、図５の例のように画素の選択や変更量の設定の操作性を向上させることができる。これによりユーザーの操作性が大幅に向上する。また、方向キーを用いることにより画素選択や変更量設定時のカーソル移動を直感的にすばやく行うことができる。
【００４４】
本実施例では、曲線を予めテーブル値として持っている例で説明したが、曲線３０２、３０３は下記の数式で表すことができるため、方向キー５０３でカーソル５０７を動かす毎に「γ」の値を変えることにより曲線の傾き（＝変換テーブル値）を変えることができるようにしてもよい。例えば、曲線３０２はγ＝１．８、曲線３０３はγ＝２．２のようにする。
【００４５】
【数１】
2004023578.tif 000003
【００４６】
以上のことから本実施の形態は、メモリ上に展開格納した特定の表示用の画素データの画素値を変更して表示することができる機能すなわち画素データ変換テーブル値および当該画素データ変換テーブル値に応じた変更処理を行うプログラムを設けることにより達成できる。
【００４７】
次に、本発明の第２の実施の形態における携帯電話機における処理の流れの一実施例を図６を用いて説明する。本実施の形態はカメラの画像データの画質を調整できるようにしたものである。図６はカメラ１１０を使用して撮影した静止画像や動画像の明るさや色相の画質をユーザーの好みに合わせて調整して表示するためのフローチャートである。ステップ６０１でカメラによる撮影データを入手し、ＲＡＭ１０８へ展開し、ユーザーの画質調整操作により、画素値を変更して表示する。これにより、ユーザーの操作により最適な画質に調整ができる。尚、本第１の発明で図２を用いて説明した内容とは、ステップ２０１の画像データのダウンロード処理が、ステップ６０１のカメラによる撮影画像データの入手に置き換わっただけであり、その他の処理は全く同じであるため、ここでは詳細の説明は省略する。
【００４８】
ここで、ステップ６０５でユーザー操作により変更された表示用の画素データをＦｌａｓｈＲＯＭ１０７に格納することにしてもよい。これにより、見やすくなった画質調整後の画像を好きな時に呼び出して表示できるとともに、メールと一緒に調整後の画像を相手に送信することができるようになる。
【００４９】
さらにここで、ステップ６０５でユーザー操作により変更された画素データ変換テーブル値を次に表示するときの設定値としてＦｌａｓｈＲＯＭ１０７に格納するようにしてもよい。これにより、次回からの表示はユーザーにより好みの表示に調整された画質で表示させることができる。
【００５０】
以上の実施の形態によれば、携帯電話において、ダウンロード等の外部から入力した画像や内蔵カメラからの画像を、メモリ上に展開格納した特定の表示用の画素データの画素値を変更して表示することができる機能すなわち画素データ変換テーブル値および当該画素データ変換テーブル値に応じた変更処理を行うプログラムを設けることにより、画像の画質を調整して表示することができるようになりユーザの使い勝手が向上する。
【００５１】
以上の実施の形態は、携帯端末装置が携帯電話機である例について説明したが、これに限ることはなく、本発明を携帯情報端末（ＰＤＡ）にしたものであってもよい。
【００５２】
【発明の効果】
本発明によれば、外部から入力した画像や内蔵カメラで撮影した画像の画像データを画素毎に調整でき、画質調整の容易な携帯電話を得ることができる。
【図面の簡単な説明】
【図１】本発明の第１の実施の形態における携帯電話機の内部ブロック図である。
【図２】本発明の第１の実施の形態における携帯電話機をインターネットに接続してダウンロードした静止画像や動画像の画質を変更して表示するためのフローチャートである。
【図３】本発明の第１の実施の形態における携帯電話機の画質調整用の変換テーブルの例を示す図である。
【図４】本発明の第１の実施の形態における携帯電話機の液晶表示装置の各画素の拡大図である。
【図５】本発明の第１の実施の形態における携帯電話機にて図３の変換テーブル値による表示画像の画質変更操作画面を示す図である。
【図６】本発明の第２の実施の形態における携帯電話機の画像データをユーザーの好みに合わせて変換して表示するためのフローチャートである。
【図７】本発明の第１の実施の形態における携帯電話機の図３の画素データ変換テーブル値による変更前の図４の液晶表示装置のドットの状態を示す図である。
【図８】本発明の第１の実施の形態における携帯電話機の図３の画素データ変換テーブル値（曲線３０３）により変更を行った後の図４の液晶表示装置のドットの状態を示す図である。
【符号の説明】
１００…携帯電話、１０１…無線部、１０２…制御部、１０３…マイク、
１０４…スピーカ、１０５…表示部、１０６…操作部、
１０７…ＦｌａｓｈＲＯＭ、１０８…ＲＡＭ、１０９…電源部、
１１０…カメラ部
【図１】
2004023578.tif 000004
【図２】
2004023578.tif 000005
【図３】
2004023578.tif 000006
【図４】
2004023578.tif 000007
【図５】
2004023578.tif 000008
【図６】
2004023578.tif 000009
【図７】
2004023578.tif 000010
【図８】
2004023578.tif 000011